(57)【特許請求の範囲】
【請求項１】
乾燥機本体と、その乾燥機本体に内蔵されて冷凍サイクルを構成する蒸発器と、その蒸発器設置空間に外部から空気を導入するための第１の吸気口と、その蒸発器設置空間に外部から空気を導入するための第２の吸気口と、各吸気口から選択的に蒸発器設置空間に空気を導入する手段と、その蒸発器設置空間に導入される空気を加熱可能な手段と、その蒸発器設置空間から空気を送り出す手段とを備える乾燥機。
【請求項２】
乾燥機本体と、その乾燥機本体に内蔵されて冷凍サイクルを構成する蒸発器および凝縮器と、その蒸発器と凝縮器との間で空気が移動するのを阻止できるように乾燥機本体の内部を隔てる手段と、その蒸発器設置空間に外部から空気を導入するための第１の吸気口と、その凝縮器設置空間に外部から空気を導入するための第２の吸気口と、その凝縮器設置空間から外部に空気を排出するための排気口と、その蒸発器設置空間と凝縮器設置空間とを連絡する連絡口と、その排気口と連絡口とを選択的に閉鎖可能な手段と、その蒸発器設置空間に導入される空気を加熱可能な手段と、その蒸発器設置空間から空気を送り出す手段とを備える乾燥機。
【請求項３】
その蒸発器設置空間における空気の温度検出用センサーと、その空気温度が設定温度よりも低くなると蒸発器設置空間に導入される空気を加熱する手段とを備える請求項１または２に記載の乾燥機。
【請求項４】
その蒸発器における吸熱部表面の温度検出用センサーと、その吸熱部表面温度が設定温度よりも低くなると前記冷凍サイクルを構成するコンプレッサーを停止させる手段とを備える請求項１〜３のいずれかに記載の乾燥機。
【請求項５】
その凝縮器設置空間に外部から導入される空気の温度検出用センサーと、その空気温度が設定温度よりも低くなると凝縮器設置空間に外部から導入される空気をそのまま送り出す手段とを備える請求項１〜４のいずれかに記載の乾燥機。
【請求項６】
粘結剤として水溶性フェノール系樹脂をコーティングされた鋳物砂の再生工程うちのうちの少なくとも一工程において、乾燥機により除湿された空気を鋳物砂に送り込むことを特徴とする鋳物砂の再生方法。
【請求項７】
その乾燥機は鋳物砂に送り込まれる空気の温度調節機能を有する請求項６に記載の鋳物砂の再生方法。
【請求項８】
その再生工程において、鋳物砂を選別するスクリーン、鋳物砂にコーティングされた粘結剤を除去する乾式再生機、鋳物砂を磁力により選別する磁選機、鋳物砂を収納するホッパーおよび排出空気中の粉塵を除去する集塵機のうちの少なくとも一つが用いられ、そのスクリーン、乾式再生機、磁選機、ホッパーおよび集塵機のうちの少なくとも一つの内部で鋳物砂に除湿された空気が送り込まれる請求項６または請求項７に記載の鋳物砂の再生方法。
【請求項９】
その乾燥機から送り出される空気は、温度が０℃〜６０℃の範囲とされ、相対湿度が５０％ＲＨ以下とされ、送風流量が毎時２００ｍ3 以上とされる請求項６〜請求項８の何れかに記載の鋳物砂の再生方法。
【請求項１０】
その乾燥機として請求項１〜５のいずれかに記載の乾燥機が用いられる請求項６〜請求項９の何れかに記載の鋳物砂の再生方法。
【請求項１１】
その乾燥機として請求項２に記載の乾燥機が用いられ、再生された鋳物砂の温度検出用センサーと、その鋳物砂温度が設定温度よりも低くなると前記連絡口を開くと共に排気口を閉鎖し且つ設定温度よりも高くなると前記連絡口を閉鎖すると共に排気口を開く手段とを備える請求項６〜請求項９の何れかに記載の鋳物砂の再生方法。
【発明の詳細な説明】
【０００１】
【産業上の利用分野】
本発明は、粘結剤によりコーティングされた鋳物砂や生型砂等を再生する方法、および、その鋳物砂の再生工程や食品分野等における乾燥工程において利用することができ、例えば、水溶性フェノール系樹脂によってコーティングされた鋳物砂を乾式再生機により機械的に研磨して再生したり、混練ミキサーにより粘結剤と混練するに際し、特定条件の乾燥空気を供給するのに適した乾燥機に関する。
【０００２】
【従来の技術】
鋳造用鋳型の造型分野においては、鋳物砂をコーティングする粘結剤としてフラン樹脂を用いるフランプロセスや、鋳物砂をフェノール系樹脂とポリイソシアネート（ＭＤＩ）によりコーティングして造型した後にアミンガスを吹き込んでウレタン化反応を起こさせて硬化させるコールドボックスプロセス等が従来から利用され、また近年には、鋳物砂をコーティングする粘結剤として水溶性フェノール系樹脂を用いるプロセスが利用されつつある。
【０００３】
そのような鋳物砂は、資源の有効利用や産業廃棄物の低減のために再生して利用され、その再生工程においては、例えばクラシャーで鋳造後の鋳型を崩壊して回収砂とし、この回収砂から鉄片やガラ等を篩（スクリーン）や磁選機等により分別し、高速回転するローター等を有する乾式再生機により機械的に研磨して再生し、その再生した鋳物砂をホッパーから混練機に供給して粘結剤および硬化剤と混練することが行なわれている。
【０００４】
そのような鋳物砂の再生工程において、鋳物砂をコーティングする樹脂は吸湿し易いことから、夏期等の多湿条件下では回収砂は水分を多く含み流動性が悪化する。そのため、上記スクリーンの目詰まりや磁選機への付着により回収砂の循環が阻害されたり、乾式再生機のローターや内壁等に鋳物砂がこびり着き棚吊り状になって鋳物砂の再生が阻害される。このように鋳物砂の再生が阻害されると、鋳物砂表面の樹脂などの燃え残った灼熱減量分（Loss On Ignition：以下L.O.I.という）が増加する。特にアルミニウムの鋳造を行なう場合、溶湯温度が低いために砂型に溶湯を流し込んだ際に樹脂等が燃え残り易くＬ．Ｏ．Ｉが増加する。また、再生した鋳物砂をホッパーに一旦収納してから混練機に供給する場合、そのホッパーの内壁に鋳物砂がこびり着き棚吊り状になると、鋳物砂のホッパーからの落下量を一定化させるのが困難になり、砂と粘結剤との比が変動してしまう。
【０００５】
そのようなL.O.I.の多い再生砂を使用して鋳型を造型した場合や、砂と粘結剤との比が不適正な場合、鋳型強度の低下や鋳型表面の安定性の低下により、鋳造された鋳物による鋳型のすくわれや砂噛みやガス欠陥等が発生し、鋳物品質の低下に繋がる。特に水溶性フェノール系樹脂プロセスでは、水溶性フェノール系樹脂が硬化剤と反応してポリマー化されたものはフラン樹脂等に比較して比較的柔らかい物性を示すため、乾式再生機で研磨再生してもL.O.I.成分が落ちにくく、しかも吸湿し易い性質を有する。これは、硬化剤として有機エステルであるエチレングリコールジアセテート等を使用する場合、樹脂との反応過程において加水分解を受けて酢酸塩を生成するので、空気中の水分を吸収する所謂潮解性を示すのが原因であると推測されている。
【０００６】
そこで、特開平５‐３２９５７６号公報に開示されているように、回収鋳物砂を収容した流動床の底面に穿設した多数の小孔から熱風を吹き込み、回収鋳物砂を加熱しつつエアーレーションにより流動処理を行なうことで、回収鋳物砂中の水分を蒸発させると共に残留薬剤の縮合反応を促進させて砂粒が相互に付着しない様に前処理した後に、乾式再生機により再生することが提案されている。
【０００７】
また、実公平１‐１７４０１号公報に開示されているように、コールドボックスプロセスにおいて、鋳物砂焙焼炉の下流に設置した流動分級装置の送風機の吸引側または吐出側に除湿装置を配置することが提案されている。
【０００８】
【発明が解決しようとする課題】
しかし、熱風を吹き込んで回収鋳物砂を加熱して水分を蒸発させる従来技術では、その熱風の温度は２００℃〜２５０℃とされ、砂温は７０℃〜１２０℃に加熱されるため、後工程で冷却を行なう必要があり、冷却を行なわなければ鋳型造型前の混練砂をコーティングする粘結剤の反応速度が速くなり過ぎて造型が困難であった。
【０００９】
また、コールドボックスプロセスにおいて流動分級装置の送風機の吸引側または吐出側に除湿装置を配置する従来技術では、鋳物砂に含まれる水分の除去はできるが、鋳物砂の温度管理が困難なため、砂温が高くなって混練砂をコーティングする粘結剤の反応速度が速くなり過ぎて造型が困難になったり、温度が低くなり過ぎて混練砂をコーティングする粘結剤の反応速度が遅くなり過ぎて生産性が低下するという問題がある。また、コールドボックスプロセス以外のプロセスに利用することは困難なものである。
【００１０】
そのため、従来は鋳物砂に占める新砂の比率を高くすることで対応していたが、新砂の比率を高くすると省資源を図ることができず、産業廃棄物が増加するという問題がある。
【００１１】
また、生型砂の再生に際しては、再生時における水分変動量を少なくして造型時に適正な水分量とすることが要望されている。
【００１２】
本発明は、上記課題を解決することのできる乾燥機および鋳物砂の再生方法を提供することを目的とする。
【００１３】
【課題を解決するための手段】
本発明の乾燥機は、乾燥機本体と、この乾燥機本体に内蔵されて冷凍サイクルを構成する蒸発器と、その蒸発器設置空間に外部から空気を導入するための第１の吸気口と、その蒸発器設置空間に外部から空気を導入するための第２の吸気口と、各吸気口から選択的に蒸発器設置空間に空気を導入する手段と、その蒸発器設置空間に導入される空気を加熱可能な手段と、その蒸発器設置空間から空気を送り出す手段とを備えることを特徴とする。
【００１４】
本発明の乾燥機は、乾燥機本体と、その乾燥機本体に内蔵されて冷凍サイクルを構成する蒸発器および凝縮器と、その蒸発器と凝縮器との間で空気が移動するのを阻止できるように乾燥機本体の内部を隔てる手段と、その蒸発器設置空間に外部から空気を導入するための第１の吸気口と、その凝縮器設置空間に外部から空気を導入するための第２の吸気口と、その凝縮器設置空間から外部に空気を排出するための排気口と、その蒸発器設置空間と凝縮器設置空間とを連絡する連絡口と、その排気口と連絡口とを選択的に閉鎖可能な手段と、その蒸発器設置空間に導入される空気を加熱可能な手段と、その蒸発器設置空間から空気を送り出す手段とを備えるのがより好ましい。
【００１５】
本発明の乾燥機は、その蒸発器設置空間における空気の温度検出用センサーと、その空気温度が設定温度よりも低くなると蒸発器設置空間に導入される空気を加熱する手段とを備えるのが好ましい。
【００１６】
本発明の乾燥機は、その蒸発器における吸熱部表面の温度検出用センサーと、その吸熱部表面温度が設定温度よりも低くなると前記冷凍サイクルを構成するコンプレッサーを停止させる手段とを備えるのが好ましい。
【００１７】
本発明の乾燥機は、その凝縮器設置空間に外部から導入される空気の温度検出用センサーと、その空気温度が設定温度よりも低くなると凝縮器設置空間に外部から導入される空気をそのまま送り出す手段とを備えるのが好ましい。
【００１８】
その蒸発器設置空間に導入される空気を加熱可能な手段としては、例えば電気ヒーターやスチームヒーター等を用いることができ、そのようなヒーターの配置は蒸発器設置空間内に限定されず、例えば凝縮器配置空間内に配置して蒸発器設置空間に導入される空気を蒸発器設置空間の上流域で加熱してもよい。
【００１９】
本発明の鋳物砂の再生方法は、粘結剤として水溶性フェノール系樹脂をコーティングされた鋳物砂の再生工程うちのうちの少なくとも一工程において、乾燥機により除湿された空気を鋳物砂に送り込むことを特徴とする。その粘結剤としては、例えばアルカリフェノール‐ホルムアルデヒド樹脂水溶液が挙げられ、アルカリフェノール‐ホルムアルデヒド樹脂の重量平均分子量は特に限定されないが２１００〜８０００のものが好ましく、またこの水溶液中の樹脂固形分は３０〜８０重量％が好ましい。その乾燥機は鋳物砂に送り込まれる空気の温度調節機能を有するのが好ましい。その鋳物砂をコーティングする水溶性フェノール系樹脂は、有機エステル化合物または炭酸ガスにより硬化されるのが好ましい。
【００２０】
その再生工程において、鋳物砂を選別するスクリーン、鋳物砂にコーティングされた粘結剤を除去する乾式再生機、鋳物砂を磁力により選別する磁選機、鋳物砂を収納するホッパーおよび排出空気中の粉塵を除去する集塵機のうちの少なくとも一つが用いられ、そのスクリーン、乾式再生機、磁選機、ホッパーおよび集塵機のうちの少なくとも一つの内部に除湿された空気が送り込まれるのが好ましい。
【００２１】
その再生工程において乾燥機から送り出される空気は、温度が０℃〜６０℃の範囲で設定可能とされ、好ましくは５℃〜５０℃の範囲で設定可能とされ、相対湿度は５０％ＲＨ以下とされ、好ましくは４０％ＲＨ以下とされ、送風流量は毎時２００ｍ3 以上とされ、好ましくは毎時３００ｍ3 以上とされる。
【００２２】
その再生工程における乾燥機として上記本発明の乾燥機が用いられるのが好ましい。この場合、再生された鋳物砂の温度検出用センサーと、その鋳物砂温度が設定温度よりも低くなると前記連絡口を開くと共に排気口を閉鎖し且つ設定温度よりも高くなると前記連絡口を閉鎖すると共に排気口を開く手段とを備えるのが好ましく、さらに、再生された鋳物砂温度が設定温度よりも低い第２の設定温度よりも低くなると蒸発器設置空間から送り出される空気を加熱可能な手段が設けられているのが好ましい。その乾燥機の第１の吸気口を屋内に配置し、第２の吸気口を屋外に配置するのがより好ましく、より好ましくは前記排気口を屋外に配置する。
【００２３】
本発明でいう水溶性フェノール系樹脂とは、アルカリ触媒の存在下のもとでフェノール類とアルデヒド類を縮重合した（ノボラックフェノール樹脂をレゾール化した樹脂も含む）、いわゆるアルカリ性フェノール樹脂のことである。ここで使用されるフェノールソースの具体例としては、フェノール、キシレノール、レゾルシン、クレゾール等が挙げられ、また、ビスフェノールＡ、ビスフェノールＦなどのビスフェノール類も挙げられる。アルデヒドソースの具体例としては、ホルムアルデヒド、パラホルムアルデヒド、フルフラール、グリオキザール等が挙げられる。それらフェノールソースやアルデヒドソースとして挙げられるものは、単独で使用されてもよいし混合して使用されてもよく、特に限定されるものではない。また、鋳物砂をコーティングする水溶性フェノール系樹脂の硬化法は有機エステル化合物や炭酸ガスを用いるものに限定されない。
【００２４】
【作用】
本発明の乾燥機において、乾燥機本体の蒸発器設置空間に外部から導入された空気は、蒸発器により吸熱されることで冷却され、蒸発器の吸熱部表面において空気中の水分が結露することで除湿される。その蒸発器設置空間と各吸気口との間は開閉可能なので、第１の吸気口を屋内に配置し、第２の吸気口を屋外に配置することで、その蒸発器設置空間に屋外空気と屋内空気を選択的に導入できる。また、その蒸発器設置空間に導入される空気を加熱することもできる。これにより、屋外空気と屋内空気を冷却あるいは加熱すると共に除湿して送り出すことができる。例えば夏期や梅雨時等の高温多湿な環境においては、蒸発器設置空間に屋内空気を導入して冷却すると共に除湿することで、適温かつ低湿度の乾燥空気を送り出すことができる。また、冬期のような低温低湿な環境においては、蒸発器設置空間に屋外空気を導入して加熱することで、適温かつ低湿度の乾燥空気を送り出すことができ、また、その蒸発器設置空間に導入される空気を加熱することで蒸発器の熱交換部に霜が付くのを防止して熱交換機能を維持できる。さらに、冬期の雨天時のような低温多湿な環境においては、蒸発器設置空間に屋外空気を導入して加熱すると共に除湿することで、適温かつ低湿度の乾燥空気を送り出すことができ、また、その蒸発器設置空間に導入される空気を加熱することで蒸発器の熱交換部に霜が付くのを防止して熱交換機能を維持できる。
【００２５】
その冷凍サイクルを構成する蒸発器および凝縮器との間で空気が移動するのを阻止できるように乾燥機本体の内部を隔て、低温環境下において凝縮器設置空間に第２の吸気口から導入した空気を連絡口を介し蒸発器設置空間に導入し、凝縮器における冷媒と熱交換された屋外空気を加熱して適温にすることで、凝縮器における冷媒の凝縮時の放熱熱量を利用でき、熱効率を向上することができる。
【００２６】
上記乾燥機の第１の吸気口を、鋳物砂の再生工程のうちの少なくとも一工程を行なう屋内に配置し、第２の吸気口を屋外に配置し、高温多湿な環境においては蒸発器設置空間に屋内空気を導入して冷却すると共に除湿することで、適温かつ低湿度の乾燥空気を鋳物砂に送り込み、鋳物砂の温度を適温に制御できると共に水分を除去することができる。また、低温低湿な環境においては蒸発器設置空間に屋外空気を導入して加熱することで、適温かつ低湿度の乾燥空気を鋳物砂に送り込み、鋳物砂の温度を適温に制御できると共に水分を除去することができる。また、低温多湿な環境においては蒸発器設置空間に屋外空気を導入して加熱すると共に除湿することで、適温かつ低湿度の乾燥空気を鋳物砂に送り込み、鋳物砂の温度を適温に制御できると共に水分を除去することができる。また、冬期等の低湿環境では、鋳物工場内は水分を含んだ鋳型に注湯するため蒸気が充満して屋外よりも一般に湿度が高いことから、その蒸発器設置空間に屋外空気を導入することで効果的に除湿空気を鋳物砂に送り込むことができる。
【００２７】
その蒸発器設置空間における空気の温度が低下すると、蒸発器の吸熱部表面に霜が付着する。その霜が成長すると、その吸熱部表面における熱交換が阻害される。よって、その蒸発器設置空間における空気温度が蒸発器の吸熱部表面に霜が付着する温度よりも低くなった時に、その蒸発器設置空間に導入される空気を加熱することで、蒸発器の吸熱部表面に霜が付着するのを防止できる。この場合、その霜が付着する温度は湿度が高い程低くなる。これは、湿度が高いと吸熱部表面において結露した空気中の水分が流動し、凝固し難いためである。例えば、低湿度では２３℃でも霜が付着したが、高湿度では１５℃まで霜が付着しなかった。そのため、その蒸発器設置空間に導入される空気を加熱する基準となる設定温度は、湿度が高くなる程に低くするのが好ましい。
【００２８】
その蒸発器における吸熱部表面に霜が成長する場合、その吸熱部表面温度は０℃以下になる。よって、その吸熱部表面温度が設定温度よりも低くなった時に、前記冷凍サイクルを構成するコンプレッサーを停止させることで、霜を解凍させることができる。この場合、その設定温度は、蒸発器の吸熱部表面において霜が成長を始める０℃とされるのがより好ましい。また、そのコンプレッサーは連続して停止させる必要はなく、蒸発器の吸熱部表面に付着する霜を解凍するのに充分な一定時間（例えば３分間程度）だけ停止させれば足り、その停止後に再起動させてもよい。その再起動時に蒸発器の吸熱部表面温度が設定温度よりも低い場合は、一定時間だけ作動させた後に再度一定時間だけ停止させるサイクルを繰り返してもよい。そのサイクルにおけるコンプレッサーの作動時間は、蒸発器の吸熱部表面において熱交換が可能であれば多少の霜が成長しても問題はないので、ある一定時間（例えば３０分間程度）とすることができる。
【００２９】
その凝縮器設置空間に外部から導入される空気が、冬期における外気のように低温低湿である場合、冷凍サイクルにより除湿冷却する必要はない。よって、その導入空気温度が設定温度（例えば１℃）よりも低くなると、凝縮器設置空間に外部から導入される空気をそのまま送り出すようにするのが好ましい。その場合、乾燥機を構成するブロワー等の送風手段のみ運転し、冷凍サイクルや空気加熱手段は作動停止させることで、省エネルギー化を図れる。
【００３０】
粘結剤として水溶性フェノール系樹脂をコーティングされた鋳物砂の再生工程うちのうちの少なくとも一工程において、乾燥機により除湿された空気を鋳物砂に送り込むことで、L.O.I.成分による吸湿が防止され再生砂の砂流動性が向上するため、再生工程における鋳物砂からのL.O.I.成分の除去を促進することができ、鋳物砂の再生効率が高められる。さらに、スクリーンの目詰まりや磁選機への砂付着を防止して回収砂の循環を促進したり、乾式再生機のローターの内壁等に鋳物砂がこびり着いて棚吊り状になるのを防止して鋳物砂の再生を好適に行うことができる。また、ホッパーの内壁に鋳物砂がこびり着き棚吊り状になるのを防止し、ホッパーからの落下量を一定化させて砂と粘結剤との比が変動するのを防止できる。これにより、L.O.I.を低減して鋳物品質を向上できる。
【００３１】
その乾燥機から鋳物砂に送り込まれる空気の温度が調節されることで、鋳物砂に適温の除湿空気を送り込み、粘結剤である水溶性フェノール系樹脂の反応速度を適正化して造型作業を効率良く行なうことができる。
【００３２】
乾燥機から送り出される空気の温度は、環境温度や鋳物砂をコーティングする樹脂の反応速度に応じて適正値は異なるが、０℃〜６０℃の範囲で設定すれば、鋳物砂を例えば１０℃〜２８℃程度の適正温度にすることができる。その乾燥機から送り出される空気の相対湿度は５０％ＲＨ以下であれば鋳物砂の水分を効果的に除去することができ、低い程に乾燥効果は大きい。その乾燥機から送り出される空気の送風流量は毎時２００ｍ3 以上であるのが好ましく、多い程に乾燥効果は大きい。
【００３３】
再生された鋳物砂の温度は、粘結剤である水溶性フェノール系樹脂の反応速度を適正化するため適温とする必要がある。そのため、再生された鋳物砂の温度が設定温度（例えば３０℃）よりも低くなった時に、前記連絡口を開くと共に排気口を閉鎖することで、凝縮器における冷媒の凝縮時の放熱熱量を利用して鋳物砂を昇温でき、熱効率を向上することができ、その鋳物砂の温度が設定温度よりも高くなると前記連絡口を閉鎖すると共に排気口を開くことで、鋳物砂を効率よく冷却できる。さらに、再生された鋳物砂温度が設定温度よりも低い第２の設定温度（例えば１５℃）よりも低くなった時に、蒸発器設置空間から送り出される空気を加熱することで、再生された鋳物砂の温度を適正化するのが好ましい。また、鋳型に使用される鋳物砂の種類としては、クロマイトサンド、ジルコンサンド、硅砂、アルミナサンド、合成ムライトサンド（商標：セラビーズ）が挙げられる。例えば鋳鋼を鋳造している工場などでは、一般的に肌砂はクロマイトサンドが用いられ裏砂は硅砂が用いられ、いわゆる２サンド方式が採用されているが、最近の動きとしてこれに替わる合成ムライトサンド（商標：セラビーズ）が採用されつつあり、１サンド方式が増えてきつつある。またアルミ（非鉄合金）鋳造工場では通常、鋳物砂として硅砂が用いられている。
【００３４】
【実施例】
図１〜図３を参照して本発明の第１実施例の乾燥機１を説明する。
【００３５】
その乾燥機１は、箱状の乾燥機本体２と、この乾燥機本体２に内蔵された空調装置３とを備える。その空調装置３としては、例えば市販のクーラーや除湿機であって、冷凍サイクルを構成する蒸発器４、凝縮器５、コンプレッサー６および膨張弁７と、その冷凍サイクルの構成要素を覆うハウジング３ａとを有するものを用いる。
【００３６】
その蒸発器４と凝縮器５との間で空気が移動するのを阻止できるように、乾燥機本体２の内部を蒸発器４側と凝縮器５側の２室に隔てる隔壁８が設けられている。その隔壁８の一部は、空調装置３のハウジング３ａの内部を蒸発器４と凝縮器５との間で空気が移動しないように仕切り、その隔壁８の残部は、乾燥機本体２の内面と空調装置３のハウジング３ａの外面との間に設けられ、その間を通り蒸発器４側と凝縮器５側との間で空気が移動するのを阻止する。
【００３７】
その蒸発器設置室９に外部から空気を導入するための第１の吸気口１０が乾燥機本体２に設けられ、その第１の吸気口１０はシャッター１０ａにより開閉可能とされている。その凝縮器設置室１１に外部から空気を導入するための第２の吸気口１２と、その凝縮器設置室１１から外部に空気を排出するための排気口１４とが乾燥機本体２に設けられている。その蒸発器設置室９と凝縮器設置室１１とを連絡する連絡口１５が、本体２と空調装置３のハウジング３ａとの間に設けられている。その第１の吸気口１０から乾燥機本体２に導入された空気は、空調装置３のハウジング３ａに形成された図外開口から蒸発器４に至る。その第２の吸気口１２から乾燥機本体２に導入された空気は、空調装置３のハウジング３ａに形成された図外開口から凝縮器５に至り、そのハウジング３ａに形成された空気出口３ｂから排出口１４若しくは連絡口１５に至る。その排気口１４と連絡口１５とを選択的に閉鎖できるように、図１に示すように連絡口１５を閉鎖する位置と、図２に示すように排気口１４を閉鎖する位置とに位置変更可能なシャッター１６が設けられている。その第１の吸気口１０は例えば鋳物工場の建屋内部に配置され、その第２の吸気口１２と排気口１４とは例えば鋳物工場の建屋外部に配置される。
【００３８】
その蒸発器設置室９にヒーター１７が内蔵されている。その蒸発器設置室９から空気を送り出すブロワー１８が設けられている。そのブロワー１８により送り出される空気の送風流量は毎時２００ｍ3 以上とされている。その送風空気の温度はヒーター１７の能力調節と冷凍サイクルの冷却能力の調節とにより０℃〜６０℃の範囲で設定可能とされ、相対湿度は５０％ＲＨ以下とすることが可能とされている。
【００３９】
上記乾燥機１によれば、梅雨時等の高温多湿な環境においては、図１に示すように、第１の吸気口１０を開き、排気口１４を開き、連絡口１５を閉鎖し、蒸発器設置室９に屋内の空気を図中矢印で示すように導入して冷却すると共に除湿することで、例えば２５℃、５０％ＲＨ程度の適温かつ低湿度の乾燥空気を送り出すことができる。
【００４０】
また、冬期のような低温低湿な環境においては、図２に示すように、第１の吸気口１０を閉じ、排気口１４を閉じ、連絡口１５を開き、蒸発器設置室９に屋外の空気を図中矢印で示すように導入して除湿すると共にヒーター１７により加熱することで、例えば２５℃、５０％ＲＨ程度の適温かつ低湿度の乾燥空気を送り出すことができる。また、そのヒーター１７により蒸発器設置室９に導入される空気を加熱することで、蒸発器４の熱交換部に霜が付くのを防止して熱交換機能を維持できる。さらに、冬期の雨天時のような低温多湿な環境においては、蒸発器設置室９に導入した屋外空気を加熱すると共に除湿することで、適温かつ低湿度の乾燥空気を送り出すことができる。また、その屋外空気は凝縮器設置室１１を介し蒸発器設置室９に導入されるので、凝縮器５における冷媒と熱交換された屋外空気を加熱して適温にすることで、凝縮器５における冷媒の凝縮時の放熱熱量を利用でき、熱効率を向上することができる。また、冬期等の低湿環境では、鋳物工場内は水分を含んだ鋳型に注湯するため蒸気が充満して屋外よりも一般に湿度が高いことから、その蒸発器設置室９に屋外空気を導入することで効果的に除湿空気を鋳物砂に送り込むことができる。
【００４１】
次に鋳鋼の鋳造プロセスにおける鋳物砂再生工程を示す。図４を参照して水溶性フェノール系樹脂造型法における鋳物工場内の鋳物砂再生工程と、上記乾燥機１を２台用いた場合の乾燥空気の送風経路を説明する。なお、図４において破線矢印は鋳物砂の再生経路を示し、実線矢印は乾燥空気の送風経路を示す。
【００４２】
まず、鋳造に用いられた鋳型は、シェイクアウトマシン２１により鋳造品から分離（型ばらし）され、振動コンベアー２２によりサンドクラッシャー２３に送り込まれて崩壊され、振動スクリーン２４で鉄片とガラとが分離されて回収砂が得られる。この回収砂は、バケットエレベーター、空気輸送コンベヤ、ベルトコンベアー等の搬送機２５により磁選機２６に搬送され、残りの小さな鉄片等の磁石付着性成分が例えば１００００ガウス以下程度の比較的弱い磁力により分離され、回収砂ホッパー２７に貯蔵される。
【００４３】
そのホッパー２７に貯蔵された回収砂は、搬送機２８により機械的に鋳物砂を研磨する乾式再生機２９に送り込まれる。この乾式再生機２９において、砂と砂との間や、砂と邪魔板や回転羽根といったシェルフとの間等で乾式研磨が行なわれ、鋳物砂表面に存在するL.O.I.成分が除去されると共に鋳物砂表面が研磨されることで鋳物砂の再生がなされる。なお、乾式再生機は、機種、処理方法、処理時間は特に限定されるものではない。
【００４４】
その乾式再生機２９により再生された再生砂は、搬送機３０により高磁力磁選機３１に送り込まれ、例えば２００００ガウス程度の磁力により例えば再生クロマイトサンド等の磁石付着性再生砂と、例えば再生硅砂等の他の再生砂とに分別される。各分別された再生砂は、それぞれベルトコンベヤ３２、３３および搬送機３４、３５を介し別個の再生砂ホッパー３６、３７に貯蔵される。なお、アルミ鋳造の場合のように１種類の砂で造型する場合、この磁選機３１は不要である。
【００４５】
各ホッパー３６、３７に貯蔵された再生砂は、それぞれ別個の投入ホッパー４１、４２にコンベヤ等の搬送装置（図示省略）により送り込まれ、各投入ホッパー４１、４２からそれぞれ別個のミキサー４３、４４に投入される。各ミキサー４３、４４において、再生砂と、水溶性フェノール系樹脂を主体とする粘結剤と、硬化剤とが再混練される。この再混練においては、再生砂だけでなく新砂が混合されていても差し支えない。各ミキサー４３、４４において混練された鋳物砂はそれぞれ別個の模型に充填されて中間鋳型４６、４７が形成され、両中間鋳型４６、４７が組み合わされて鋳型４８が形成され、この鋳型４８に注湯されることで鋳造が行なわれる。
【００４６】
なお、有機エステル自硬性硬化法の場合、使用される硬化剤は代表的にはエチレングリコールジアセテート、トリアセチン、γ‐ブチロラクトン、アルキレンカーボネート等が挙げられる。また、有機エステルガス硬化法の場合、ガス状またはエアゾル状の蟻酸メチルが用いられる。また、炭酸ガス硬化法の場合、炭酸ガス硬化用の水溶性フェノール系樹脂のみを粘結剤とし、模型充填後に炭酸ガス通気により硬化させるのが通常である。粘結剤の添加量としては、通常鋳物砂（新砂が混合されていても差し支えない）１００重量部に対し、樹脂が０．３重量部〜１０重量部、好ましくは０．５重量部〜５重量部である。硬化剤の添加量は、通常鋳物砂（新砂が混合されていても差し支えない）１００重量部に対し、有機エステルの場合は、０．１重量部〜３重量部、好ましくは０．１重量部〜２重量部、炭酸ガス通気の場合は、０．１重量部〜１０重量部である。
【００４７】
上記鋳型の造型、鋳造、再生が繰り返され、その再生系において２台の乾燥機１が設置され、型ばらしから再混練前までの再生工程において乾燥機１から送り出される空気が鋳物砂に送り込まれる。
【００４８】
本実施例では、振動コンベアー２２による鋳型の搬送工程、サンドクラッシャー２３による鋳型の崩壊工程、振動スクリーン２４による鉄片とガラの分離工程、搬送機２５による回収砂の搬送工程、搬送機２８による再生砂の搬送工程、高磁力磁選機３１による再生砂の分別工程、搬送機３４、３５による再生砂の搬送工程、投入ホッパー４１、４２からミキサー４３、４４への投入工程において、鋳物砂に乾燥空気が吹き付けられるとともに、集塵機（図外）に乾燥空気が導入される。
【００４９】
なお、乾燥機１は１台でも３台以上でもよい。また、乾燥機１と再生各工程との送風ラインの接続は、上記実施例のように乾燥機１と再生各工程とを個々に接続する並列接続でもよいし、乾燥機に接続される再生工程に別の再生工程を接続する直列接続でもよく、接続方法は特に限定されない。又、鋳造される鋳物材質は鋳鋼、鋳鉄、非鉄、合金が挙げられ特に限定されるものではない。また、鋳物砂の型ばらしから再混練前までの再生工程のうちの少なくとも一工程において、鋳物砂に乾燥機から乾燥空気を送り込めば足り、例えばシェイクアウトマシン２１による型ばらし工程において乾燥空気を送り込むようにしてもよい。また、上記再生工程は一例であり、鋳物砂の型ばらしから再混練前までの再生工程であれば再生方法は限定されない。
【００５０】
以下の表１は、鋳物砂の再生を、本発明の乾燥機を用いて行なった場合（実施例Ａ）と、特開平５‐３２９５７６号公報に開示された乾燥機を用いて行なった場合（比較例Ａ）と、乾燥機を用いることなく行なった場合（比較例Ｂ）とで比較実験を行なった結果を示す。
【００５１】
【表１】
0003639324.tif 000002
【００５２】
実験に用いた元砂は商標名三河硅砂Ｒ６号、粘結剤は水溶性フェノール樹脂で商標名カオーステップＳ‐６０３（花王クエーカー株式会社製）、硬化剤は有機エステル系硬化剤で商標名カオーステップＱＸ‐１１０（花王クエーカー株式会社製）。その元砂１００重量部に対し、硬化剤を０．７０重量部、水溶性フェノール樹脂を３．５重量部添加して混練し、鋳型の造型、鋳造、再生を繰り返し、L.O.I.％が１１．４％の再生硅砂１１トンを得た。この再生硅砂のみを使用し、図４に示した再生工程により表１に示した再生パス回数となるように再生を繰り返して再生砂を得た。得られた再生砂１００重量部に対し、上記硬化剤を０．７０重量部、上記粘結剤を３．５重量部添加して混練し、直径が５０ｍｍで高さが５０ｍｍのテストピース用模型に充填して鋳型を得た。なお、外気温は２０℃、外気相対湿度は９０％ＲＨ、送風空気温度は１８℃、送風空気相対湿度は３０％ＲＨ、送風空気流量は３６０ｍ3 ／時とした。
【００５３】
表１における砂温は、各再生パス回数を繰り返した時の再生砂温であり、圧縮強度は、得られた鋳型を２４時間放置した後の圧縮強度であり、可使時間は、その２４時間放置した後の圧縮強度の８０％に圧縮強度が低下するまでの混練砂の充填待機時間である。なお、混練砂の充填待機時間とは、粘結剤を鋳物砂に混練した直後からテストピース用模型に充填するまでの待機時間をいう。また、表１における遊離水分（％）は、得られた再生砂試料（重量Ｗａ）を１００℃で１時間乾燥し、デシケーター中で室温まで冷却した後の重量（Ｗｂ）を測定し、〔（Ｗａ−Ｗｂ）／Ｗａ〕×１００なる式で算出したものであり、その値が小さいほど再生砂が乾燥していることを示している。また、表１におけるL.O.I.（％）は、遊離水分を除去した再生砂試料（重量Ｗａ）を１０００℃で１時間強熱し、デシケーター中で室温まで冷却した後の重量（Ｗｃ）を測定し、〔（Ｗａ−Ｗｃ）／Ｗａ〕×１００なる式で算出したもであり、その値が小さいほど再生効率が高いことを示している。
【００５４】
上記表１より、実施例Ａでは再生を連続８回行なっても再生砂の砂温は２１℃〜２３℃の範囲に制御され、比較例に比べ砂温が低く且つ変動が小さい。また、再生砂の遊離水分率が低く流動性が良くなる。これにより、可使時間が長く、圧縮強度が高く、L.O.I.％が低減するのを確認できる。すなわち、再生効率、再生砂の砂温制御、遊離水分率、可使時間、鋳型強度などが比較例より優れるのが確認できる。
【００５５】
次にアルミ鋳造工場の鋳造プロセスにおける鋳物砂再生工程を示す。図５を参照して本発明の第２実施例の乾燥機５１と鋳造設備を説明する。
【００５６】
その乾燥機５１は、箱状の乾燥機本体５２と、この乾燥機本体５２に内蔵された空調装置５３とを備える。その空調装置５３としては第１実施例と同様に市販のクーラーや除湿機であって、冷凍サイクルを構成する蒸発器５４、凝縮器５５、コンプレッサー５６および膨張弁５７と、その冷凍サイクルの構成要素を覆うハウジング５３ａとを有するものを用いる。
【００５７】
その蒸発器５４と凝縮器５５との間で空気が移動するのを阻止できるように、乾燥機本体５２の内部を蒸発器５４側と凝縮器５５側の２室に隔てる隔壁５８が設けられている。その隔壁５８の一部は、空調装置５３のハウジング５３ａの内部を蒸発器５４と凝縮器５５との間で空気が移動しないように仕切り、その隔壁５８の残部は、乾燥機本体５２の内面と空調装置５３のハウジング５３ａの外面との間に設けられ、その間を通り蒸発器５４側と凝縮器５５側との間で空気が移動するのを阻止する。
【００５８】
その蒸発器設置室５９に外部から空気を導入するための第１の吸気口６０と、その凝縮器設置室６１に外部から空気を導入するための第２の吸気口６２と、その凝縮器設置室６１から外部に空気を排出するための排気口６４とが乾燥機本体５２に設けられ、その蒸発器設置室５９と凝縮器設置室６１とを連絡する連絡口６５が、乾燥機本体５２と空調装置５３のハウジング５３ａとの間に設けられている。その第１の吸気口６０から乾燥機本体５２に導入された空気は、空調装置５３のハウジング５３ａに形成された図外開口から蒸発器５４に至る。その第２の吸気口６２から乾燥機本体５２に導入された空気は、空調装置５３のハウジング５３ａに形成された図外開口から凝縮器５５に至り、そのハウジング５３ａに形成された図外開口から排出口６４若しくは連絡口６５に至る。その排気口６４と連絡口６５とを選択的に閉鎖できるように、連絡口６５を閉鎖する位置と排気口６４を閉鎖する位置とに位置変更可能なシャッター６６が設けられている。なお、その空調装置５３は、ハウジング５３ａ内の蒸発器設置室５９に空気を吸引するための第１ファン５３ｂと、ハウジング５３ａ内の凝縮器設置室６１に空気を吸引するための第２ファン５３ｃとを有し、その第２ファン５３ｃの方が第１ファン５３ｂよりも風量が多くされている。これにより、排気口６４が閉鎖されて連絡口６５が開かれた状態では、第２の吸気口６２から乾燥機本体５２に導入された空気は連絡口６５を介し蒸発器５４に至り、一方、第１の吸気口６０は空気排出口として機能し、この際、その第２の吸気口６２から乾燥機本体５２に導入された空気を連絡口６５から蒸発器５４に案内するため、蒸発器設置室５９にガイド板１０１が設けられている。その第１の吸気口６０は例えば鋳物工場の建屋内に配置され、その第２の吸気口６２と排気口６４とは例えば鋳物工場の建屋外に配置される。また、各吸気口６０、６２および排気口６４を建屋内に配置してもよい。
【００５９】
その蒸発器設置室５９にヒーター６７が内蔵されている。その蒸発器設置室５９から空気を送り出すブロワー６８が設けられている。そのブロワー６８により送り出される空気の送風流量は毎時２００ｍ3 以上とされている。その送風空気の温度はヒーター６７の能力調節と冷凍サイクルの冷却能力の調節とにより０℃〜６０℃の範囲で設定可能とされ、相対湿度が５０％ＲＨ以下とされる。
【００６０】
その蒸発器設置室５９から乾燥機本体５２の外部に水を排出するためのホース１０２と、その排出された水を受けるタンク１０３とが設けられている。
【００６１】
上記乾燥機５１において、排気口６４を開き、連絡口６５を閉鎖し、第１の吸気口６０から導入する空気を蒸発器５４に設ける冷却板等の吸熱部表面での熱交換により冷却すると共に除湿することで、例えば２５℃、５０％ＲＨ程度の適温かつ低湿度の乾燥空気を送り出すことができる。また、排気口６４を閉じ、連絡口６５を開き、第２の吸気口６２から導入される空気を凝縮器５５に設ける放熱板等の放熱部表面での熱交換により加熱し、蒸発器５４により除湿し、ヒーター６７により加熱することで、例えば２５℃、５０％ＲＨ程度の適温かつ低湿度の乾燥空気を送り出すことができる。
【００６２】
上記乾燥機５１から鋳造設備に乾燥空気が送り出される。その鋳造設備において粘結剤として水溶性フェノール系樹脂をコーティングされた鋳物砂の再生工程を行なうため、まず、鋳造に用いられた鋳型が図外シェイクアウトマシンにより鋳造品から分離（型ばらし）され、サンドクラッシャー７３に送り込まれて崩壊され、バケットエレベーター７５からサンドタンク７７を介し乾式再生機７８に送り込まれて再生砂とされ、空気輸送機７９により第２サンドタンク８０に送り込まれ貯蔵される。その乾式再生機７８には集塵機８５が接続される。その再生砂は、第２サンドタンク８０からベルトコンベアー８１、バケットエレベーター８２、第３サンドタンク８３を介し連続混練機８４に送り込まれ、粘結剤および硬化剤と混練され、鋳型の形成に用いられる。
【００６３】
上記再生工程において乾燥機５１から送り出される乾燥空気を鋳物砂に送り込むため、乾燥機５１はサンドクラッシャー７３と第３サンドタンク８３とに配管８６を介し接続される。なお、そのサンドクラッシャー７３と配管８６との接続部は乾燥空気の漏れを防ぐためカバーにより覆うのが好ましい。これにより、乾燥機５１から送り出される乾燥空気は、サンドクラッシャー７３、バケットエレベーター７５、サンドタンク７７、乾式再生機７８、第２サンドタンク８０、集塵機８５、ベルトコンベアー８１、バケットエレベーター８２および第３サンドタンク８３において鋳物砂に送り込まれる。
【００６４】
上記構成において、乾燥機５１の蒸発器設置室５９における空気の温度検出用第１センサー１０５と、その蒸発器５４に設けられる冷却板等の吸熱部表面の温度検出用第２センサー１０６と、その凝縮器設置室６１に外部から導入される空気の温度検出用第３センサー１０７と、再生された鋳物砂の温度検出用第４センサー１０８とが設けられ、各センサー１０５、１０６、１０７、１０８は制御装置（図示省略）に接続される。
【００６５】
その第１センサー１０５は蒸発器設置室５９内において、ヒーター６７の輻射熱をガイド板１０１により遮ることのできる位置に設けられる。その蒸発器設置室５９における空気温度が設定温度よりも低くなるとヒーター６７は制御装置により作動され、蒸発器設置室５９に導入される空気が加熱される。これにより、蒸発器設置室５９における空気温度が蒸発器５４の吸熱部表面に霜が付着する温度よりも低くなったことを第１センサー１０５により検知した時に、その蒸発器設置室５９に導入される空気をヒーター６７により加熱することで霜が付着するのが防止される。この場合、その霜が付着する温度は湿度が高い程低くなるので、そのヒーター６７を作動させる設定温度は湿度が高くなる程に低くするのが好ましい。
【００６６】
その第２センサー１０６により計測される蒸発器５４における吸熱部表面温度が設定温度よりも低くなると、空調装置５３の冷凍サイクルを構成するコンプレッサー５６が制御装置により作動停止される。これにより、その蒸発器５４における吸熱部表面温度が霜の成長する設定温度よりも低くなるとコンプレッサー５６が停止され、霜を解凍させる。この場合、その設定温度は吸熱部表面において霜が成長を始める０℃とされるのが好ましい。そのコンプレッサー５６は連続して停止するのでなく、その吸熱部表面に付着する霜を解凍するのに充分な一定時間（例えば３分間程度）だけ停止され、その停止後に再起動される。また、その再起動時に吸熱部表面温度が設定温度よりも低い場合は、一定時間（例えば３０分間程度）だけ作動させた後に再度一定時間だけ停止させるサイクルが繰り返される。そのサイクルにおけるコンプレッサー５６の作動時間は、蒸発器５４の吸熱部表面における熱交換が不能になる程に霜が成長することのない時間とされ、さらに、そのサイクルにおけるコンプレッサー５６の停止中にコンプレッサーの内圧は再起動可能な程度に開放される。
【００６７】
その第３センサー１０７は凝縮器設置室６１に配置され、その凝縮器設置室６１に外部から導入される空気温度が設定温度よりも低くなると、制御装置により乾燥機５１は第１ファン５３ｂと第２ファン５３ｃとブロワー６８以外は作動停止され、その凝縮器設置室６１に外部から導入される空気はそのまま送り出される。これにより、その凝縮器設置室６１に外部から導入される空気が、冬期における外気のように低温低湿である場合、冷凍サイクルにより除湿冷却することなくそのまま乾燥機１から送り出し、省エネルギー化を図ることができる。
【００６８】
その第４センサー１０８は第３サンドタンク８３の内部に配置され、その第４センサー１０８により計測される再生砂の温度が第１設定温度よりも低くなると、乾燥機５１のシャッター６６が制御装置により駆動され、前記連絡口６５が開かれると共に排気口６４が閉鎖され、再生された鋳物砂に送り込まれる空気が凝縮器５５における熱交換により昇温される。その再生砂の温度が第１設定温度よりも高くなるとその連絡口６５が閉鎖されると共に排気口６４が開かれる。また、その乾燥機５１と第３サンドタンク８３とを接続する配管８６の途中にヒーター１１０、１１１が設けられ、その第４センサー１０８により計測される再生砂の温度が第１設定温度よりも低い第２設定温度以下になると、そのヒーター１１０、１１１が制御装置により作動され、再生された鋳物砂に送り込まれる空気が加熱される。これにより、乾燥機５１から鋳物砂に送り込まれる空気の温度を効率良く調節し、鋳物砂に適温の除湿空気を送り込み、粘結剤である水溶性フェノール系樹脂の反応速度を適正化して造型作業を効率良く行なうことができる。
【００６９】
上記第２実施例によれば、例えば再生砂の含水量を６％から０．７％以下にでき、第１実施例と同様の作用効果を奏することができる。また、蒸発器５４における霜の付着防止、再生砂の温度の適正化、乾燥機５１のエネルギー効率の向上をより効果的に行なえる。
【００７０】
なお、本発明は上記実施例に限定されるものではない。例えば、鋳物砂は、粘結剤として水溶性フェノール系樹脂以外の樹脂によりコーティングされているものや、生型砂であってもよく、乾燥機により乾燥空気を送り込んで再生を行なうものであれば限定されない。また、乾燥機本体に蒸発器のみを内蔵し、凝縮器を屋外に配置し、連絡口に替えて第２の吸気口を屋外において開閉可能に乾燥機本体に設けるようにしてもよい。また、粘結剤として水溶性フェノール系樹脂をコーティングされた鋳物砂については、再生工程のうちの少なくとも一工程において鋳物砂に乾燥空気を送りこむ乾燥機は、除湿機能を有するものであれば足りる。
【００７１】
【発明の効果】
本発明の乾燥機によれば適温低湿度の乾燥空気を送り出すことができ、蒸発器に霜が付くことはなく、エネルギー効率が良く、本発明の鋳物砂の再生方法の実施に好適なものである。また、本発明の鋳物砂の再生方法によれば、環境温度や環境湿度の影響を受けることなく、水溶性フェノール系樹脂によりコーティングされた再生砂の温度を適正範囲に制御することができる共にL.O.I.を低減できるので、可使時間が長く、高強度の鋳型を得ることができ、良好な品質の鋳物を得ることができる。さらに、再生工程における鋳物砂のスクリーンの目詰まり、磁選機における選別能力の低下、乾式再生機やホッパー等における棚吊り、付帯設備の集塵機のフィルターの目詰まり等も解消でき、新砂の割合を低くして省資源を図ると共に産業廃棄物を低減でき、安定した設備の稼働に寄与できる。
【図面の簡単な説明】
【図１】本発明の第１実施例の乾燥機の連絡口の閉鎖状態を示す図
【図２】本発明の第１実施例の乾燥機の排気口の閉鎖状態を示す図
【図３】本発明の第１実施例の乾燥機の構成説明図
【図４】本発明の第１実施例の再生工程の説明図
【図５】本発明の第２実施例の乾燥機と再生工程の構成説明図
【符号の説明】
１、５１  乾燥機
２、５２  乾燥機本体
４、５４  蒸発器
５、５５  凝縮器
９、５９  蒸発器設置室
１０、６０  第１の吸気口
１１、６１  凝縮器設置室
１２、６２  第２の吸気口
１４、６４  排気口
１５、６５  連絡口
１６、６６  シャッター
１７、６７  ヒーター
１８、６８  ブロワー
１０５、１０６、１０７、１０８  センサー
【図１】
0003639324.tif 000003
【図２】
0003639324.tif 000004
【図３】
0003639324.tif 000005
【図４】
0003639324.tif 000006
【図５】
0003639324.tif 000007